(57)【要約】【課題】使用者の認証ができない環境でも、代理印刷できるようにする。【解決手段】画像形成システムは、画像形成装置、付与機器、代理機器、ストレージを含む。付与機器は、設定された通信機器に代理印刷権限を付与する。付与機器は、通信機器を第１代理機器に設定する。画像形成装置は、画像形成装置から一定距離内に第１代理機器が存在するか否かを判定する。画像形成装置は、第１代理機器が存在すると判定し、かつ、第１代理機器から代理印刷を行う旨の実行回答を受信したとき、専用領域に記憶された印刷データに基づく印刷を印刷部に行わせる。【選択図】図６
2019045964.tif 000002
【特許請求の範囲】
【請求項１】
印刷部を含む画像形成装置と、
代理印刷権限を付与する付与機器と、
前記代理印刷権限が付与された代理機器と、
データを記憶するストレージと、を含み、
前記画像形成装置、前記付与機器、及び、前記代理機器は、それぞれ通信部を含み、相互に通信可能であり、
前記付与機器は、
前記代理印刷権限を付与する通信機器を定める第１代理設定操作を受け付け、
前記第１代理設定操作がなされたとき、専用領域の作成を要求する作成要求を前記画像形成装置に送信し、
前記専用領域は、代理印刷専用の記憶領域であり、
前記画像形成装置は、前記作成要求を受信したとき、前記ストレージに前記専用領域を作成し、
前記専用領域が作成されたとき、
前記付与機器は、
代理印刷用データを作成し、
作成した前記代理印刷用データを前記画像形成装置に送信することにより、前記第１代理設定操作で設定された通信機器に前記代理印刷権限を付与し、前記第１代理設定操作で設定された通信機器を第１代理機器に設定し、
前記代理印刷用データは、代理印刷許可情報と前記印刷部に印刷させるための印刷データを含み、
前記画像形成装置は、
受信した前記代理印刷用データを前記専用領域に記憶させ、
前記画像形成装置から一定距離内に前記第１代理機器が存在するか否かを判定し、
前記第１代理機器が存在すると判定したとき、代理印刷を行うか否かを問い合わせる回答要求を前記第１代理機器に送信し、
前記第１代理機器から代理印刷を行う旨の実行回答を受信したとき、前記専用領域に記憶された前記印刷データに基づく印刷を前記印刷部に行わせることを特徴とする画像形成システム。
【請求項２】
前記付与機器は、
前記代理印刷権限を付与する通信機器を変更する第２代理設定操作を受け付け、
前記第２代理設定操作がなされたとき、前記第１代理機器から前記代理印刷権限を剥奪し、
前記第２代理設定操作で設定された通信機器に前記代理印刷権限を付与して、前記第２代理設定操作で設定された通信機器を新たな代理機器である第２代理機器を設定し、
前記画像形成装置は、
前記一定距離内に前記第２代理機器が存在するか否かを判定し、
前記第２代理機器が存在すると判定したとき、前記回答要求を前記第２代理機器に送信し、
前記第２代理機器から前記実行回答を受信したとき、前記専用領域に記憶された前記印刷データに基づく印刷を前記印刷部に行わせ、
前記第１代理機器については、前記一定距離内に存在するか否かを判定しないことを特徴とする請求項１に記載の画像形成システム。
【請求項３】
前記第１代理機器は、
前記代理印刷権限の移譲先通信機器を定める第３代理設定操作を受け付け、
前記移譲先通信機器を知らせる移譲依頼を前記付与機器に送信し、
前記移譲依頼を受信したとき、
前記付与機器は、
前記第１代理機器から前記代理印刷権限を剥奪し、
通知された前記移譲先通信機器に前記代理印刷権限を付与して、前記移譲先通信機器を新たな代理機器である第２代理機器を設定し、
前記画像形成装置は、
前記一定距離内に前記第２代理機器が存在するか否かを判定し、
前記第２代理機器が存在すると判定したとき、前記回答要求を前記第２代理機器に送信し、
前記第２代理機器から前記実行回答を受信したとき、前記専用領域に記憶された前記印刷データに基づく印刷を前記印刷部に行わせ、
前記第１代理機器については、前記一定距離内に存在するか否かを判定しないことを特徴とする請求項１又は２に記載の画像形成システム。
【請求項４】
前記付与機器は、確認時点を前記第１代理機器に送信し、
前記第１代理機器は、
前記確認時点よりも前に前記実行回答をしたか否かを確認し、
前記確認時点よりも前に前記実行回答をしていないとき、前記移譲先通信機器を自動的に設定し、自動的に設定した前記移譲先通信機器を知らせる前記移譲依頼を前記付与機器に送信することを特徴とする請求項３に記載の画像形成システム。
【請求項５】
前記移譲依頼を受信した場合、
前記付与機器は、
通信機器の変更を許可する入力を受け付けたとき、前記移譲依頼で知らされた通信機器を前記第２代理機器に設定し、
通信機器の変更を許可しない入力を受け付けたとき、前記移譲依頼で知らされた通信機器を前記第２代理機器に設定しないことを特徴とする請求項３又は４に記載の画像形成システム。
【請求項６】
前記第２代理機器を設定するとき、
前記付与機器は、
前記第２代理機器のための新たな前記代理印刷許可情報を作成し、
作成した新たな前記代理印刷許可情報を前記画像形成装置に送信し、
新たな前記代理印刷許可情報を受信したとき、
前記画像形成装置は、前記専用領域に新たな前記代理印刷許可情報を記憶させ、前に記憶された前記代理印刷許可情報を削除しないことを特徴とする請求項２〜５の何れか１項に記載の画像形成システム。
【請求項７】
前記画像形成装置は、前記印刷データに基づく印刷中に、前記一定距離内に前記代理印刷権限が付与された通信機器が存在しなくなったとき、前記印刷データに基づく印刷を中止することを特徴とする請求項１乃至６の何れか１項に記載の画像形成システム。
【請求項８】
前記付与機器は、前記代理印刷許可情報に前記代理印刷用データの作成日時を含め、
前記画像形成装置は、前記実行回答の受信時が前記作成日時から予め定められた印刷可能期間内であるか否かを確認し、
前記印刷可能期間内であるとき、前記印刷データに基づく印刷を前記印刷部に行わせ、
前記印刷可能期間内でないとき、前記印刷データに基づく印刷を前記印刷部に行わせないことを特徴とする請求項１〜７の何れか１項に記載の画像形成システム。
【請求項９】
前記専用領域への前記代理印刷用データの記憶が完了したとき、
前記画像形成装置は、前記付与機器に代理印刷準備の完了を通知し、
前記付与機器は、前記第１代理機器又は前記第２代理機器に代理印刷準備の完了を通知し、
前記印刷データに基づく印刷が完了したとき、
前記画像形成装置は、前記第１代理機器又は前記第２代理機器に代理印刷の完了を通知し、
前記第１代理機器又は前記第２代理機器は、前記付与機器に代理印刷の完了を通知することを特徴とする請求項１〜８の何れか１項に記載の画像形成システム。
【請求項１０】
前記付与機器が前記代理印刷権限を付与する前に、
前記付与機器は、前記代理印刷権限の付与候補の通信機器と通信を行い、正当性を判定し、
正当性ありと判定したとき、
前記付与機器は、処理を続行し、
正当性なしと判定したとき、
前記付与機器は、処理を中止することを特徴とする請求項１〜９の何れか１項に記載の画像形成システム。
【請求項１１】
前記付与機器が前記作成要求を送信したとき、
前記付与機器と前記画像形成装置は、相互に通信を行い、互いの正当性を判定し、
ともに正当性ありと判定したとき、
前記付与機器と前記画像形成装置は、処理を続行し、
何れか一方でも正当性なしと判定されたとき、
前記付与機器と前記画像形成装置は、処理を続行しないことを特徴とする請求項１〜１０の何れか１項に記載の画像形成システム。
【請求項１２】
前記画像形成装置から一定距離内に前記付与機器から前記代理印刷権限が付与された通信機器が存在すると判定したとき、
前記代理印刷権限が付与された通信機器と前記画像形成装置は、相互に通信を行い、互いの正当性を判定し、
ともに正当性ありと判定したとき、
前記代理印刷権限が付与された通信機器と前記画像形成装置は、処理を続行し、
何れか一方でも正当性なしと判定されたとき、
前記代理印刷権限が付与された通信機器と前記画像形成装置は、処理を続行しないことを特徴とする請求項１〜１１の何れか１項に記載の画像形成システム。
【発明の詳細な説明】
【技術分野】
【０００１】
本発明は、本発明は、通信機器と画像形成装置とを備える印刷システムに関する。
【背景技術】
【０００２】
複合機、プリンターのような画像形成装置には、プリントジョブを行うものがある。そして、画像形成装置には、受信した印刷データを保留するものがある。印刷開始用の情報（例えば、パスワード）が入力されたとき、画像形成装置は、保留している印刷データに基づく印刷を開始する。このような印刷は、プライベート印刷と称されることがある。プライベート印刷では、使用者が画像形成装置の前に到達してから印刷が開始される。そのため、他人に秘密保持すべき印刷物を見られることを防ぐことができる。さらに、プライベート印刷を代理できるようにすることがある（代理印刷）。代理印刷では、印刷データの送信者から印刷権限を付与された受任者が印刷を開始できる。受任者が印刷物を受領する。このような代理印刷の技術の一例が特許文献１に記載されている。
【０００３】
特許文献１には、情報処理装置と画像形成装置とを備え、情報処理装置が、印刷データを画像形成装置に送信し、近距離無線通信の通信範囲内に存在する通信端末を検出し、検出された通信端末のうち一又は複数の前記通信端末を選択し、送信される印刷データの印刷権限を選択された通信端末に与え、印刷データに設定されたセキュリティーレベルが通信端末への印刷権限の付与が制限されるレベルである場合、印刷権限を付与する処理を実行させず、画像形成装置が、印刷権限を有する通信端末が近距離無線通信の通信範囲内に存在する場合、印刷権限に対応する印刷データの印刷を許可し、ユーザー各々に対応する複数の記憶部と認証操作に応じてユーザーをログインさせ、ログインがあった場合、ログインしたユーザーに対応する記憶部へのアクセスを許可し、情報処理装置から印刷データが送信された場合に前記情報処理装置に対応する第１ユーザーを特定して印刷データを前記第１ユーザーに対応する前記記憶部に記憶させ、印刷権限が与えられた前記通信端末が近距離無線通信の通信範囲内に存在する場合、通信端末に対応する第２ユーザーを特定して通信端末が有する印刷権限に対応する印刷データに印刷条件の設定変更が不可である旨を示す情報を付加してから印刷データを第２ユーザーに対応する記憶部に移動させることで印刷権限に対応する印刷データの印刷を許可し、第１ユーザーに対応する記記憶部からは印刷データを削除し、第２ユーザーに対応する記憶部に記憶された印刷データを第２ユーザーによる前記印刷データの印刷前のログアウト又は予め設定された制限時間の超過を条件に第２ユーザーに対応する記憶部から削除して印刷データを第１ユーザーに対応する記憶部に移動させる印刷システムが記載されている（特許文献１：請求項１）。
【先行技術文献】
【特許文献】
【０００４】
【特許文献１】特許５８８５７１５号公報
【発明の概要】
【発明が解決しようとする課題】
【０００５】
特許文献１に記載の技術では画像形成装置が使用者情報を記憶しておく必要がある。使用者情報は、画像形成装置の使用が許可された者の情報である。言い換えると、特許文献１記載の技術では、使用者情報に基づく画像形成装置による使用者の認証が必要である。また、認証に基づき、各使用者が画像形成装置にログインできなくてはならない。使用者情報がない場合、代理印刷を行うことができない。
【０００６】
そのため、特許文献１記載の技術では、使用者情報を持てない（記憶できない）画像形成装置では代理印刷できないという問題がある。また、使用者情報に含まれていない使用者（未登録の者）は、代理印刷できないという問題がある。
【０００７】
本発明は、上記従来技術の問題点に鑑み、使用者の認証ができない環境でも、代理印刷できるようにする。
【課題を解決するための手段】
【０００８】
上記課題解決のため請求項１に係る画像形成システムは、画像形成装置、付与機器、代理機器、ストレージを含む。前記画像形成装置は印刷部を含む。前記付与機器は代理印刷権限を付与する。前記代理機器は、前記代理印刷権限が付与された機器である。前記ストレージはデータを記憶する。前記画像形成装置、前記付与機器、及び、前記代理機器は、それぞれ通信部を含み、相互に通信可能である。前記付与機器は、前記代理印刷権限を付与する通信機器を定める第１代理設定操作を受け付ける。前記第１代理設定操作がなされたとき、前記付与機器は、専用領域の作成を要求する作成要求を前記画像形成装置に送信する。前記専用領域は、代理印刷専用の記憶領域である。前記作成要求を受信したとき、前記画像形成装置は、前記ストレージに前記専用領域を作成する。前記専用領域が作成されたとき、前記付与機器は、代理印刷用データを作成する。前記付与機器は、作成した前記代理印刷用データを前記画像形成装置に送信することにより、前記第１代理設定操作で設定された通信機器に前記代理印刷権限を付与し、前記第１代理設定操作で設定された通信機器を第１代理機器に設定する。前記代理印刷用データは、代理印刷許可情報と前記印刷部に印刷させるための印刷データを含む。前記画像形成装置は、受信した前記代理印刷用データを前記専用領域に記憶させる。前記画像形成装置は、前記画像形成装置から一定距離内に前記第１代理機器が存在するか否かを判定する。前記第１代理機器が存在すると判定したとき、前記画像形成装置は、代理印刷を行うか否かを問い合わせる回答要求を前記第１代理機器に送信する。前記第１代理機器から代理印刷を行う旨の実行回答を受信したとき、前記画像形成装置は、前記専用領域に記憶された前記印刷データに基づく印刷を前記印刷部に行わせる。
【発明の効果】
【０００９】
本発明によれば、使用者の認証ができない環境でも、代理印刷が可能な仕組みを提供することができる。
【図面の簡単な説明】
【００１０】
【図１】実施形態に係る画像形成システムの一例を示す図である。
【図２】実施形態に係る第１通信機器の一例を示す図である。
【図３】実施形態に係る第２通信機器の一例を示す図である。
【図４】実施形態に係る第３通信機器の一例を示す図である。
【図５】実施形態に係る画像形成装置の一例を示す図である。
【図６】実施形態に係る代理印刷の準備処理の流れの一例を示す図である。
【図７】実施形態に係る代理印刷用データの一例を示す図である。
【図８】実施形態に係る代理印刷権限の付与先の変更の流れの一例を示す図である。
【図９】実施形態に係る代理印刷権限の付与先の変更後の代理印刷用データの一例を示す図である。
【図１０】実施形態に係る代理印刷の移譲の流れの一例を示す図である。
【図１１】実施形態に係る代理印刷の実行の流れの一例を示す図である。
【図１２】実施形態に係る画像形成装置の代理印刷中の処理の流れの一例を示すフローチャートである。
【発明を実施するための形態】
【００１１】
以下、図１〜図１２を用いて、本発明の実施形態に係る画像形成システム１００を説明する。但し、本実施の形態に記載されている構成、配置等の各要素は、発明の範囲を限定するものではなく単なる説明例にすぎない。
【００１２】
（画像形成システム１００の概要）
図１を用いて、実施形態に係る画像形成システム１００の一例を説明する。図１は、実施形態に係る画像形成システム１００の一例を示す図である。
【００１３】
画像形成システム１００は、複数の通信機器（第１通信機器１、第２通信機器２、第３通信機器３）、画像形成装置４、ストレージ５を含む。各通信機器と画像形成装置４は、無線により通信可能である。画像形成装置４は、無線又は有線によりストレージ５と通信する。図１に示すように、画像形成装置４には、プリンターを用いることができる。画像形成装置４は、プリンターに限られない。画像形成装置４は、複合機、複写機、ファクシミリ装置のような他種の印刷装置でもよい。画像形成装置４は、通信機器から受信した印刷データＤ３に基づき印刷する。
【００１４】
図１では、第１通信機器１、第２通信機器２、第３通信機器３を示している。通信機器は、４台以上でもよい。通信機器は、所有者に携帯される（持ち運ばれる）。各通信機器には、移動通信用の端末を用いることができる。例えば各通信機器には、スマートフォン、携帯電話、タブレット型コンピューター、ＰＤＡを用いることができる。
【００１５】
ストレージ５は大容量の不揮発記憶装置である。ストレージ５は、ネットワークを介して画像形成装置４と通信可能に接続されてもよい。ストレージ５には、例えば、クラウドを用いることができる。また、ストレージ５は、データサーバーでもよい。図１では、ストレージ５を画像形成装置４の外部に設ける例を示している。しかし、ストレージ５は画像形成装置４に内蔵されてもよい。
【００１６】
（各通信機器）
図２〜図４を用いて、実施形態に係る通信機器の一例を説明する。図２は、実施形態に係る第１通信機器１の一例を示す図である。図３は、実施形態に係る第２通信機器２の一例を示す図である。図４は、実施形態に係る第３通信機器３の一例を示す図である。
【００１７】
本説明では、第１通信機器１、第２通信機器２、第３通信機器３にスマートフォンを用いる例を説明する。そのため、第１通信機器１、第２通信機器２、第３通信機器３の構成は基本的に同様である。
【００１８】
［第１通信機器１］
第１通信機器１は、処理部１０、記憶部１１、ディスプレイ１２、タッチパネル１３、撮像部１４、音声処理部１５、マイクロフォン１６、再生処理部１７、スピーカー１８、無線通信部１９を含む。
【００１９】
処理部１０は、第１通信機器１の動作を制御する。処理部１０は、ＣＰＵ１０ａや画像処理回路１０ｂを含む。処理部１０は、ＯＳ、プログラム、アプリケーション、データに基づき、第１通信機器１の動作を制御する。画像処理回路１０ｂは、画像データに対して画像処理を行う。記憶部１１はＲＯＭ、ＲＡＭ、フラッシュメモリーを含む。記憶部１１は、第１通信機器１のＯＳ、プログラム、アプリケーション、データを不揮発的に記憶する。記憶部１１には、ドライバーソフトウェアＳ１と、代理印刷用アプリケーションＡ１がインストールされる。ドライバーソフトウェアＳ１は、画像形成装置４で印刷できるようにするためのプログラムである。
【００２０】
ディスプレイ１２は、処理部１００からの要求に従い各種情報を表示する。タッチパネル１３は処理部１０と接続される。処理部１０は、タッチパネル１３の出力に基づき、タッチされた位置を認識する。ディスプレイ１２は、操作用画像（アイコン、ボタン、キー、タブ等）を表示する。タッチパネル１３の出力に基づき、処理部１０は、操作された（タッチされた）操作用画像を認識する。アイコンやボタンやキーを押すことにより、設定を行うことができる。撮像部１４は、各通信機器に設けられたカメラである。無線通信部１９は、アンテナや通信回路を含む。無線通信部１９は、処理部１０の指示に基づき、画像形成装置４や他の通信機器と通信する。音声処理部１５は、マイクロフォン１６に入力された音声をディジタル信号に変換する。再生処理部１７は、音声データをスピーカー１８に再生させる。
【００２１】
［第２通信機器２］
第２通信機器２は、処理部２０、記憶部２１、ディスプレイ２２、タッチパネル２３、撮像部２４、音声処理部２５、マイクロフォン２６、再生処理部２７、スピーカー２８、無線通信部２９を含む。
【００２２】
処理部２０は、第２通信機器２の動作を制御する。処理部２０は、ＣＰＵ２０ａや画像処理回路２０ｂを含む。処理部２０は、ＯＳ、プログラム、アプリケーション、データに基づき、第２通信機器２の動作を制御する。画像処理回路２０ｂは、画像データに対して画像処理を行う。記憶部２１はＲＯＭ、ＲＡＭ、フラッシュメモリーを含む。記憶部２１は、第２通信機器２のＯＳ、プログラム、アプリケーション、データを不揮発的に記憶する。記憶部２１にも、ドライバーソフトウェアＳ１と、代理印刷用アプリケーションＡ１がインストールされる。
【００２３】
ディスプレイ２２は、処理部２００からの要求に従い各種情報を表示する。タッチパネル２３は処理部２０と接続される。処理部２０は、タッチパネル２３の出力に基づき、タッチされた位置を認識する。ディスプレイ２２は、操作用画像（アイコン、ボタン、キー、タブ等）を表示する。タッチパネル２３の出力に基づき、処理部２０は、操作された（タッチされた）操作用画像を認識する。アイコンやボタンやキーを押すことにより、設定を行うことができる。撮像部２４は、各通信機器に設けられたカメラである。無線通信部２９は、アンテナや通信回路を含む。無線通信部２９は、処理部２０の指示に基づき、画像形成装置４や他の通信機器と通信する。音声処理部２５は、マイクロフォン２６に入力された音声をディジタル信号に変換する。再生処理部２７は、音声データをスピーカー２８に再生させる。
【００２４】
［第３通信機器３］
第３通信機器３は、処理部３０、記憶部３１、ディスプレイ３２、タッチパネル３３、撮像部３４、音声処理部３５、マイクロフォン３６、再生処理部３７、スピーカー３８、無線通信部３９を含む。
【００２５】
処理部３０は、第３通信機器３の動作を制御する。処理部３０は、ＣＰＵ３０ａや画像処理回路３０ｂを含む。処理部３０は、ＯＳ、プログラム、アプリケーション、データに基づき、第３通信機器３の動作を制御する。画像処理回路３０ｂは、画像データに対して画像処理を行う。記憶部３１はＲＯＭ、ＲＡＭ、フラッシュメモリーを含む。記憶部３１は、第３通信機器３のＯＳ、プログラム、アプリケーション、データを不揮発的に記憶する。記憶部３１にも、ドライバーソフトウェアＳ１と、代理印刷用アプリケーションＡ１がインストールされる。
【００２６】
ディスプレイ３２は、処理部３０からの要求に従い各種情報を表示する。タッチパネル３３は処理部３０と接続される。処理部３０は、タッチパネル３３の出力に基づき、タッチされた位置を認識する。ディスプレイ３２は、操作用画像（アイコン、ボタン、キー、タブ等）を表示する。タッチパネル３３の出力に基づき、処理部３０は、操作された（タッチされた）操作用画像を認識する。アイコンやボタンやキーを押すことにより、設定を行うことができる。撮像部３４は、各通信機器に設けられたカメラである。無線通信部３９は、アンテナや通信回路を含む。無線通信部３９は、処理部３０の指示に基づき、画像形成装置４や他の通信機器と通信する。音声処理部３５は、マイクロフォン３６に入力された音声をディジタル信号に変換する。再生処理部３７は、音声データをスピーカー３８に再生させる。
【００２７】
（画像形成装置４）
図５を用いて、実施形態に係る画像形成装置４の一例を説明する。図５は、実施形態に係る画像形成装置４の一例を示す図である。
【００２８】
画像形成装置４は、制御部４０、記憶部４１、操作パネル４２、印刷部４３、本体通信部４４を含む。制御部４０は、画像形成装置４の動作を制御する。制御部４０は、ＣＰＵ４０ａ、画像処理部４０ｂを含む。記憶部４１は、ＲＯＭ、ＲＡＭ、ＨＤＤのような記憶装置の組み合わせである。記憶部４１にストレージ５が含まれてもよい。記憶部４１は、画像形成装置４を制御するためのデータ、設定、プログラムを記憶する。また、記憶部４１は、画像データを記憶できる。ＣＰＵ４０ａは、記憶部４１に記憶されるプログラム、データに基づき画像形成装置４を制御する。画像処理部４０ｂは受信した印刷データＤ３に基づき、印刷に用いる画像データを生成する。画像処理部４０ｂは必要な画像処理を施す。
【００２９】
操作パネル４２は、使用者の設定操作を受け付ける。操作パネル４２は、表示用の表示パネルやハードウェアキーを含む。制御部４０は、操作パネル４２からの信号に基づき、設定を認識する。制御部４０は、使用者の設定に基づき、印刷部４３、本体通信部４４を動作させる。
【００３０】
印刷部４３は、給紙部４５、用紙搬送部４６、画像形成部４７、定着部４８を含む。印刷のとき、制御部４０は、給紙部４５にセットされた用紙を給紙させる。制御部４０は、機内の搬送経路に沿って用紙を用紙搬送部４６に搬送させる。制御部４０は、画像処理部４０ｂ０が生成した画像データを画像形成部４７に送信する。制御部４０は、画像データに基づくトナー像の形成を画像形成部４７に行わせる。また、制御部４０はトナー像の用紙への転写を画像形成部４７に行わせる。トナー像は搬送される用紙に転写される。制御部４０は、転写されたトナー像の用紙への定着を定着部４８に行わせる。
【００３１】
本体通信部４４は無線により、各通信機器と通信できる。また、本体通信部４４は、ネットワークを介し、画像形成装置４外に設けられたストレージ５と通信できる。本体通信部４４は、通信機器から送信された印刷データＤ３を受信する。印刷データＤ３は画像データやページ記述言語で記述されたデータである。制御部４０は、受信した印刷データＤ３に基づき、印刷部４３に印刷させる。
【００３２】
（代理印刷の概要）
画像形成システム１００では、画像形成装置４と２つの通信機器を用いて、代理印刷することができる。代理印刷では、印刷データＤ３を送信する通信機器から他の通信機器に代理印刷権限が付与される。通信機器から送信された印刷データＤ３は、一時的に保留される。画像形成装置４は、受信した代理印刷用の印刷データＤ３を用いて直ちに印刷を開始しない。代理印刷権限が付与された通信機器を用いて、保留された印刷データＤ３に基づく印刷を開始することができる。
【００３３】
代理印刷では、代理印刷権限が付与された通信機器の所持者（受任者）が画像形成装置４に向かう。印刷データＤ３を画像形成装置４に送信した通信機器の所持者（委任者）は画像形成装置４に向かわない。そして、受任者が印刷物を受け取る。例えば、外出している場合や、手が離せない場合、委任者は代理印刷権限を与える。受任者は、委任者と同等の秘密保持義務を有する者とされる。受任者は、委任者に印刷物を渡す。これにより、画像形成装置４に向かうことなく、委任者は印刷物を入手できる。秘密が漏れることも無い。
【００３４】
代理印刷では、代理印刷の準備処理（準備シーケンス）が行われる。準備処理の後、代理印刷が実行される。以下、代理印刷の準備処理を説明する。準備処理の説明後、代理印刷の実行を説明する。
【００３５】
（代理印刷の準備処理）
次に、図６を用いて、実施形態に係る画像形成システム１００での代理印刷の準備処理の一例を説明する。図６は、実施形態に係る代理印刷の準備処理の流れの一例を示す図である。図７は、実施形態に係る代理印刷用データＤ２の一例を示す図である。
【００３６】
第１通信機器１、第２通信機器２、第３通信機器３の何れも、他の通信機器に代理印刷権限を付与する付与機器となり得る。以下の説明では、通信機器のうち、第１通信機器１を付与機器とする例を説明する。第１通信機器１、第２通信機器２、第３通信機器３の何れも、付与機器から代理印刷権限が与えられる代理機器となり得る。代理機器には、第１代理機器と第２代理機器がある。以下の説明では、第２通信機器２を第１代理機器とする例を説明する。また、第３通信機器３を第２代理機器とする例を説明する。第２代理機器は、第１代理機器への代理印刷権限への付与後、同じ印刷データＤ３について、新たに代理印刷権限が付与された通信機器である。代理印刷では、第１通信機器１の処理部１０、第２通信機器２の処理部２０、第３通信機器３の処理部３０、画像形成装置４の制御部４０は、代理印刷用アプリケーションＡ１に基づき処理を行う。
【００３７】
まず、第１通信機器１（付与機器）は、第１代理設定操作を受け付ける（ステップ１１）。第１代理設定操作は、代理印刷権限を付与する通信機器（第１代理機器）を定める操作である。タッチパネル１３に所定の操作が行われたとき、第１通信機器１の処理部１０は、代理印刷権限を付与する通信機器を選択するための選択画面（不図示）をディスプレイ１２に表示させる。処理部１０は、選択画面に選択可能な通信機器を表示させる。選択可能な通信機器（代理印刷権限を付与できる通信機器）は、予め定められる。代理印刷権限を付与できる通信機器を定めたデータである付与対象データＤ１が各通信機器の記憶部に記憶される（図２〜図４参照）。
【００３８】
使用者は、第１通信機器１のディスプレイ１２に表示された通信機器のうち、１つを選択する。タッチパネル１３は通信機器の選択（タッチ）を受け付ける。処理部１０は、選択された通信機器を認識する。ここでは、第２通信機器２が選択される場合を説明する。第１代理設定操作がなされたとき、処理部１０は、代理印刷権限の付与候補の通信機器（第２通信機器２）と通信を確立する。付与機器と付与候補の通信機器は、相互に通信を行う。そして、付与機器と付与候補の通信機器の各処理部は、互いの正当性を判定する（ステップ１２）。
【００３９】
各通信機器の記憶部は、固有情報（ユニークな情報）を記憶する（図２〜図４参照）。例えば、固有のＩＤを記憶する。第１通信機器１は、固有情報ｉ１を記憶する。第２通信機器２は、固有情報ｉ２を記憶する。第３通信機器３は、固有情報ｉ３を記憶する。互いの正当性を判定するとき、各通信機器は、固有情報を双方で交換する。各通信機器は、受信した固有情報に基づき、相手方の正当性の有無を判断する。
【００４０】
正当性判定のアルゴリズムは、正当性を誤りなく判定できるものであればよい。正当性判定のアルゴリズムは、適宜定められる。例えば、電子署名（電子認証）の仕組みを用いることができる。
【００４１】
例えば、第１通信機器１（付与機器）の処理部１０は、自己の固有情報ｉ１と、秘密鍵で暗号化した自己の固有情報ｉ１のハッシュ値を第２通信機器２の無線通信部２９に送信する。処理部２０は、受信した固有情報ｉ１のハッシュ値を求める。また、第２通信機器２の処理部２０は、第１通信機器１の公開鍵を無線通信部２９に取得させる。処理部２０は、秘密鍵で暗号化された固有情報ｉ１のハッシュ値を公開鍵で復号する。両方のハッシュ値が正しい場合、処理部２０は、付与機器の正当性があると判定する。異なる場合、処理部２０は、付与機器の正当性がないと判定する。
【００４２】
反対に、第２通信機器２の処理部２０は、自己の固有情報ｉ２と、秘密鍵で暗号化した自己の固有情報ｉ２のハッシュ値を第１通信機器１（付与機器）の無線通信部１９に送信する。第１通信機器１の処理部１０は、受信した固有情報ｉ２のハッシュ値を求める。付与機器の処理部１０は、第２通信機器２の公開鍵を無線通信部１９に取得させる。また、処理部１０は、秘密鍵で暗号化された固有情報ｉ２のハッシュ値を公開鍵で復号する。両方のハッシュ値が正しい場合、処理部１０は、第２通信機器２の正当性があると判定する。異なる場合、処理部１０は、第２通信機器２の正当性がないと判定する。なお、各通信機器の公開鍵は、ストレージ５に記憶させておいてもよい。
【００４３】
第１通信機器１（付与機器）の処理部１０は、第２通信機器２での正当性の判定結果を無線通信部１９に取得させる。ともに正当性ありと判定されているとき、処理部１０は、処理を続行する。何れか一方でも正当性なしと判定されたとき、処理部１０は、処理を中止する。正当性が認められない場合、代理印刷に関する処理が進められない。その結果、代理印刷ができない。処理を中止したとき、処理部１０は、処理を中止し、代理印刷できない旨のメッセージをディスプレイ１２に表示させる。付与機器の所持者は、代理印刷できないことを認識できる。
【００４４】
ともに正当性ありと判定されたとき、第１通信機器１（付与機器）の処理部１０は、画像形成装置４と通信を確立する。付与機器と画像形成装置４は、相互に通信を行う。そして、付与機器の処理部１０と画像形成装置４の制御部４０は、互いの正当性を判定する（ステップ１３）。
【００４５】
画像形成装置４の記憶部４１は、ユニークな情報（固有情報ｉ４）を記憶する（図５参照）。例えば、画像形成装置４の製造番号を固有情報ｉ４とすることができる。互いの正当性を判定するとき、付与機器と画像形成装置４は、固有情報を双方で交換する。付与機器と画像形成装置４は、受信した固有情報に基づき、相手方の正当性の有無を判断する。
【００４６】
付与機器と画像形成装置４との間の正当性判定のアルゴリズムも、正当性を誤りなく判定できるものであればよい。正当性判定のアルゴリズムは、適宜定められる。例えば、付与機器と画像形成装置４間でも、電子署名（電子認証）の仕組みを用いることができる。
【００４７】
例えば、第１通信機器１（付与機器）の処理部１０は、自己の固有情報ｉ１と、秘密鍵で暗号化した自己の固有情報ｉ１のハッシュ値を画像形成装置４の本体通信部４４に送信する。制御部４０は、受信した固有情報ｉ１のハッシュ値を求める。また、画像形成装置４の制御部４０は、第１通信機器１の公開鍵を本体通信部４４に取得させる。制御部４０は、秘密鍵で暗号化された固有情報ｉ１のハッシュ値を公開鍵で復号する。両方のハッシュ値が正しい場合、制御部４０は、付与機器の正当性があると判定する。異なる場合、制御部４０は、付与機器の正当性がないと判定する。
【００４８】
反対に、画像形成装置４の制御部４０は、自己の固有情報ｉ４と、秘密鍵で暗号化した自己の固有情報ｉ４のハッシュ値を第１通信機器１（付与機器）の無線通信部１９に送信する。第１通信機器１の処理部１０は、受信した固有情報ｉ４のハッシュ値を求める。また、処理部１０は、画像形成装置４の公開鍵を無線通信部１９に取得させる。また、制御部４０は、秘密鍵で暗号化された固有情報ｉ４のハッシュ値を公開鍵で復号する。両方のハッシュ値が正しい場合、処理部１０は、画像形成装置４の正当性があると判定する。異なる場合、処理部１０は、画像形成装置４の正当性がないと判定する。なお、画像形成装置４の公開鍵は、ストレージ５に記憶させておいてもよい。
【００４９】
第１通信機器１（付与機器）の処理部１０は、画像形成装置４での正当性の判定結果を無線通信部１９に取得させる。画像形成装置４の制御部４０は、付与機器での正当性の判定結果を本体通信部４４に取得させる。ともに正当性ありと判定されているとき、処理部１０と制御部４０は、処理を続行する。何れか一方でも正当性なしと判定されたとき、処理部１０と制御部４０は、処理を中止する。正当性が認められない場合、代理印刷に関する処理が進められない。その結果、代理印刷ができない。処理を中止したとき、処理部１０は、処理を中止し、代理印刷できない旨のメッセージをディスプレイ１２に表示させる。付与機器の所持者は、代理印刷できないことを認識できる。
【００５０】
ともに正当性ありと判定されたとき、第１通信機器１（付与機器）の処理部１０は、作成要求を画像形成装置４の通信部に送信する（ステップ１４）。作成要求は、専用領域の作成の要求である。専用領域は、代理機器（代理印刷権限を付与する通信機器）による代理印刷専用の記憶領域である。作成要求は、第１代理設定操作がなされるたびに送信される。そのため、代理印刷権限を付与するたびに異なる専用領域が作成される。
【００５１】
作成要求を受信したとき、画像形成装置４の制御部４０は、ストレージ５に専用領域を作成させる（ステップ１５）。制御部４０は、ストレージ５に向けて、専用領域の作成指示を本体通信部４４に送信させる。作成指示を受信したとき、ストレージ５は、専用領域を作成する。専用領域を作成したとき、ストレージ５は、第１通信機器１（付与機器）と画像形成装置４に作成完了を通知する（ステップ１６）。ストレージ５の代わりに、画像形成装置４が、作成完了を第１通信機器１に通知してもよい。
【００５２】
専用領域が作成されたとき、第１通信機器１（付与機器）は、代理印刷用データＤ２を作成する（ステップ１７）。代理印刷用データＤ２は、代理印刷許可情報ｉ５と印刷データＤ３を含む。印刷データＤ３は、印刷部４３に印刷させるためのデータである。図７を用いて、代理印刷用データＤ２の一例を説明する。
【００５３】
図７に示すように、代理印刷用データＤ２は、印刷データＤ３を含む。印刷データＤ３は、例えば、ページ記述言語で記述されたデータである。また、印刷データＤ３は画像データを含んでいてもよい。また、印刷データＤ３は印刷設定データを含む。各通信機器にインストールされたドライバーソフトウェアＳ１では、印刷範囲や、部数等、印刷に関する設定を行うことができる。印刷設定データは、ドライバーソフトウェアＳ１での設定内容を示す。印刷が指示されたデータとドライバーソフトウェアＳ１に基づき、処理部１０は、印刷データＤ３を生成する。
【００５４】
代理印刷用データＤ２では、印刷データＤ３に代理印刷許可情報ｉ５が付加される。図７に示すように、代理印刷許可情報ｉ５には、第１通信機器１（付与機器）の固有情報ｉ１、代理印刷権限を付与しようとする通信機器（第２通信機器２）の固有情報ｉ２、画像形成装置４の固有情報ｉ４、専用領域情報ｉ６、作成日時ｉ７、ハッシュ値ｉ８を含めることができる。専用領域情報ｉ６は、専用領域のアドレスやストレージ５の固有情報である。印刷データＤ３を対象とし、所定のハッシュ関数に基づく演算により、処理部１０はハッシュ値ｉ８を求める。
【００５５】
第１通信機器１（付与機器）の処理部は、画像形成装置４の通信部に向けて、作成した代理印刷用データＤ２を無線通信部１９に送信させる（ステップ１８）。代理印刷用データＤ２を送信したとき、処理部１０は、送信した代理印刷用データＤ２内の代理印刷許可情報ｉ５を不揮発的に記憶部１１に記憶させる（図２参照）。画像形成装置４は、受信した代理印刷用データＤ２により、第２通信機器２に代理印刷権限が付与されたことを認識できる。つまり、代理印刷用データＤ２の送信により、選択された通信機器（第２通信機器２）に代理印刷権限が付与される。言い換えると、第１通信機器１は、第１代理設定操作で設定された通信機器（第２通信機器２）を第１代理機器に設定する。
【００５６】
画像形成装置４の制御部４０は、受信した代理印刷用データＤ２を専用領域に記憶（保存）させる（ステップ１９）。これにより、ストレージ５に代理印刷用データＤ２が保存される。
【００５７】
ストレージ５との通信に基づき、画像形成装置４の制御部４０は、ストレージ５への代理印刷用データＤ２の保存完了を認識する。保存完了を認識したとき、制御部４０は、第１通信機器１（付与機器）の無線通信部１９に向けて、保存完了通知を通信部に送信させる（ステップ１１０）。保存完了通知を受信したとき、第１通信機器１の処理部１０は、代理印刷の準備が完了した旨のメッセージをディスプレイ１２に表示させる。第１通信機器１の所持者は、代理印刷の準備が問題なく完了したことを認識できる。
【００５８】
また、保存完了通知を受信したとき、第１通信機器１の処理部１０は、第２通信機器２（第１代理機器）の無線通信部２９に向けて、代理印刷準備完了を通知する（ステップ１１１）。代理印刷準備完了通知を受信したとき、第２通信機器２の処理部２０は、第１通信機器１が送信した印刷データＤ３の代理印刷の準備が完了した旨のメッセージをディスプレイ２２に表示させる。第２通信機器２の所持者は、代理印刷の準備完了を認識できる。また、第２通信機器２の所持者は、代理印刷のため、画像形成装置４に向かうべきことを認識できる。
【００５９】
（代理印刷権限の付与先の変更）
次に、図８、図９を用いて、実施形態に係る代理印刷権限の付与先の変更の一例を説明する。図８は、実施形態に係る代理印刷権限の付与先の変更の流れの一例を示す図である。図９は、実施形態に係る代理印刷権限の付与先の変更後の代理印刷用データＤ２の一例を示す図である。
【００６０】
付与機器の所持者は、代理印刷権限を付与する者を変更したい場合がある。そこで、画像形成システム１００では、付与機器（第１通信機器１）を操作して、代理印刷権限を付与する通信機器を変更することができる。
【００６１】
以下では、付与機器が第１通信機器１である例を説明する。そして、代理印刷権限を付与する通信機器を第２通信機器２から第３通信機器３に変更する場合を説明する。つまり、第２通信機器２が第１代理機器であり、第３通信機器３を第２代理機器とする例を説明する。
【００６２】
代理印刷権限を付与先の変更を行うとき、委任者は、第２代理設定操作を行う。第１通信機器１（付与機器）のタッチパネル１３は、第２代理設定操作を受け付ける（ステップ２１）。第２代理設定操作は代理印刷権限を付与する通信機器を変更するための操作である。タッチパネル１３に所定の操作が行われたとき、第１通信機器１の処理部１０は、代理印刷権限を新たに付与する通信機器を選択するための選択画面（不図示）をディスプレイ１２に表示させる。付与対象データＤ１に基づき、処理部１０は、選択画面に選択可能な通信機器を表示させる。
【００６３】
委任者は、第１通信機器１のディスプレイ１２に表示された通信機器のうち、１つを選択する。タッチパネル１３は、通信機器の選択（タッチ）を受け付ける。処理部１０は、選択された通信機器を認識する。ここでは、第３通信機器３が選択される。
【００６４】
代理印刷権限を新たに付与する通信機器が選択されたとき、第１通信機器１の処理部１０は、選択された通信機器（第３通信機器３）と通信を確立する。各通信機器は、相互に通信を行う。そして、付与機器と選択された通信機器の各処理部は互いの正当性を判定する（ステップ２２）。互いの正当性を判定するとき、各通信機器は、固有情報を双方で交換する。各通信機器は、受信した固有情報に基づき、相手方の正当性の有無を判断する。
【００６５】
正当性判定のアルゴリズムは、正当性を誤りなく判定できるものであればよい。正当性判定のアルゴリズムは、適宜定められる。例えば、電子署名（電子認証）の仕組みを用いることができる。
【００６６】
例えば、第１通信機器１（付与機器）の処理部１０は、第３通信機器３の無線通信部３９に向けて、自己の固有情報ｉ１と、秘密鍵で暗号化した自己の固有情報ｉ１のハッシュ値を無線通信部１９に送信させる。第３通信機器３の処理部３０は、受信した固有情報ｉ１のハッシュ値を求める。また、第３通信機器３の処理部３０は、第１通信機器１の公開鍵を無線通信部３９に取得させる。また、処理部３０は、秘密鍵で暗号化された固有情報ｉ１のハッシュ値を公開鍵で復号する。両方のハッシュ値が正しい場合、処理部３０は、第１通信機器１の正当性があると判定する。異なる場合、処理部３０は、第１通信機器１の正当性がないと判定する。
【００６７】
反対に、第３通信機器３の処理部３０は、第１通信機器１（付与機器）の無線通信部１９に向けて、自己の固有情報ｉ３と、秘密鍵で暗号化した自己の固有情報ｉ３のハッシュ値を無線通信部３９に送信させる。第１通信機器１の処理部１０は、受信した固有情報ｉ３のハッシュ値を求める。また、処理部１０は、第３通信機器３の公開鍵を無線通信部１９に取得させる。処理部１０は、秘密鍵で暗号化された固有情報ｉ３のハッシュ値を公開鍵で復号する。両方のハッシュ値が正しい場合、処理部１０は、第３通信機器３の正当性があると判定する。異なる場合、処理部１０は、第３通信機器３の正当性がないと判定する。なお、各通信機器の公開鍵は、ストレージ５に記憶させておいてもよい。
【００６８】
第１通信機器１（付与機器）の処理部１０は、第３通信機器３での正当性の判定結果を無線通信部１９に取得させる。ともに正当性ありと判定されているとき、処理部１０は、処理を続行する。何れか一方でも正当性なしと判定されたとき、処理部１０は、処理を中止する。正当性が認められない場合、代理印刷に関する処理が進められない。その結果、代理機器を変更できない。処理を中止したとき、処理部１０は、代理印刷権限を付与する通信機器（代理機器）を変更できない旨のメッセージをディスプレイ１２に表示させる。付与機器の所持者は、代理機器を変更できないことを認識できる。
【００６９】
ともに正当性ありと判定されたとき、第１通信機器１（付与機器）の処理部１０は、新たな代理印刷許可情報ｉ５を作成する（ステップ２３）。新たに作成される代理印刷許可情報ｉ５は、第３通信機器３に代理印刷権限を付与するための情報である。
【００７０】
ここで、第１通信機器１（付与機器）の処理部１０は、代理印刷用データＤ２を画像形成装置４に送信するたびに（代理印刷権限を付与するたびに）、送信した代理印刷用データＤ２中の代理印刷許可情報ｉ５を記憶部１１に不揮発的に記憶させる。第２通信機器２に代理印刷権限を付与した代理印刷用データＤ２（印刷データＤ３）が複数ある場合がある。言い換えると、第２通信機器２の固有情報ｉ２を含む代理印刷許可情報ｉ５が複数記憶されている場合がある。
【００７１】
例えば、第１通信機器１（付与機器）の処理部１０は、第２通信機器２の固有情報ｉ２を含む全ての代理印刷許可情報ｉ５をコピーする。複数の代理印刷許可情報ｉ５がコピーされる場合がある。そして、処理部１０は、コピーした代理印刷許可情報ｉ５のうち、第２通信機器２の固有情報ｉ２を第３通信機器３の固有情報ｉ３に書き換える。また、処理部１０は、コピーした代理印刷許可情報ｉ５のうち、作成日時ｉ７を現在の日時に書き換えてもよい。このように、処理部１０は、第３通信機器３に代理印刷権限を付与するための代理印刷許可情報ｉ５を新たに生成する。
【００７２】
第１通信機器１（付与機器）の処理部１０は、画像形成装置４の本体通信部４４に向けて、新たに作成した代理印刷許可情報ｉ５を無線通信部１９に送信させる（ステップ２４）。画像形成装置４の制御部４０は、受信した新たな代理印刷許可情報ｉ５を対応する代理印刷用データＤ２に付加する（ステップ２５）。制御部４０は、専用領域情報ｉ６やハッシュ値ｉ８に基づき、新たな代理印刷許可情報ｉ５に対応する代理印刷用データＤ２を認識する。図９は、新たな代理印刷許可情報ｉ５が付加された代理印刷用データＤ２の一例を示す。ここで、図９に示すように、画像形成装置４の制御部４０は、新たな代理印刷許可情報ｉ５を受信したとき、前に記憶された代理印刷許可情報ｉ５を削除させない。履歴として残す。
【００７３】
新たな代理印刷許可情報ｉ５の付加により、画像形成装置４の制御部４０は、代理印刷権限の変更があったことを認識できる。また、制御部４０は、第３通信機器３が新たな代理機器（第２代理機器）になったことを認識できる。また、制御部４０は、第２通信機器２（第１代理機器）の代理印刷権限が剥奪されたことを認識できる。新たな代理印刷許可情報ｉ５の送信と記憶により、第３通信機器３に新たに代理印刷権限が付与される。つまり、第３通信機器３が第２代理機器に設定される。第１通信機器１の処理部１０は、第２代理設定操作で設定された通信機器（第３通信機器３）を第２代理機器に設定する。また、新たな代理印刷許可情報ｉ５の送信と記憶により、第２通信機器２の代理印刷権限が剥奪される。
【００７４】
新たな代理印刷許可情報ｉ５の付加が完了したとき、画像形成装置４の制御部４０は、付与機器の無線通信部１９に向けて、付加完了を通知する（ステップ２６）。付加完了の通知を受けたとき、付与機器の処理部１０は、第３通信機器３（第２代理機器）の無線通信部３９に向けて、代理印刷権限を新たに付与したことを通知する（ステップ２７）。代理印刷権限の新たな付与の通知を受信したとき、第３通信機器３の処理部３０は、新たに代理印刷権限が付与されたメッセージをディスプレイ１２に表示させる。第３通信機器３の所持者は、代理印刷が依頼されたことを認識できる。
【００７５】
また、付加完了の通知を受けたとき、第１通信機器１（付与機器）の処理部１０は、第２通信機器２（第１代理機器）の無線通信部２９に向けて、代理印刷権限の剥奪を通知する（ステップ２８）。代理印刷権限の剥奪の通知を受信したとき、第２通信機器２の処理部２０は、代理印刷権限が無くなった旨のメッセージをディスプレイ２２に表示させる。第２通信機器２の所持者は、代理印刷しなくてよくなったことを認識できる。
【００７６】
（移譲による代理印刷権限の付与先の変更）
次に、図１０を用いて、実施形態に係る代理印刷権限の移譲の一例を説明する。図１０は、実施形態に係る代理印刷の移譲の流れの一例を示す図である。
【００７７】
代理印刷権限が付与された通信機器の所持者は、都合で代理印刷できなくなる場合がある。そこで、画像形成システム１００では、代理印刷権限が付与された通信機器から、代理印刷権限の移譲を付与機器に依頼することができる。
【００７８】
以下では、付与機器が第１通信機器１である例を説明する。そして、代理印刷権限の移譲を依頼する通信機器が第２通信機器２である例を説明する。そして、第２通信機器２から第３通信機器３に代理印刷権限を付与する通信機器を変更する場合を説明する。この場合、第２通信機器２が前の第１代理機器となる。第３通信機器３が第１代理機器の次の代理機器（第２代理機器）となる。
【００７９】
代理印刷権限を譲りたい第２通信機器２（第１代理機器）の所持者（受任者）は、第２通信機器２で第３代理設定操作を行う。第２通信機器２のタッチパネル２３は、第３代理設定操作を受け付ける。第３代理設定操作は、代理印刷権限の移譲先通信機器を定めるための操作である。タッチパネル２３に所定の操作が行われたとき、第２通信機器２の処理部２０は、代理印刷権限を新たに付与する通信機器を選択するための選択画面（不図示）をディスプレイ２２に表示させる。付与対象データＤ１に基づき、処理部２０は、選択画面に選択可能な通信機器を表示させる。使用者は、第２通信機器２のディスプレイ２２に表示された通信機器のうち、１つを選択する。タッチパネル２３は、通信機器の選択（タッチ）を受け付ける。処理部２０は、選択された通信機器を認識する。ここでは、第３通信機器３が選択される。
【００８０】
第３通信機器３（代理印刷権限の移譲先）が選択されたとき、第２通信機器２の処理部１０は、付与機器の無線通信部１９に向けて、移譲依頼を送信する（ステップ♯３１）。移譲依頼は、選択された移譲先通信機器を知らせるデータである。
【００８１】
また、第２通信機器２は、自動的に移譲依頼を送信してもよい。例えば、自動的な代理印刷権限の移譲先の通信機器（自動移譲先）が予め定められる。第２通信機器２の記憶部２１は、自動移譲先を記憶する。例えば、記憶部２１は、第３通信機器３を自動移譲先として記憶する。
【００８２】
ここで、第１通信機器１（付与機器）の処理部１０は、確認時点を第２通信機器２に送信している。例えば、処理部１０は、代理印刷完了通知（図６のステップ♯１１１）に確認時点を含める。例えば、確認時点は、画像形成装置４から保存完了通知を受けた時点から予め定められた待ち時間を経過した時点である。予め定められた待ち時間は、例えば、数十分〜数時間とできる。
【００８３】
第２通信機器２（第１代理機器）の処理部２０は、確認時点よりも前に実行回答をしたか否かを確認する。確認時点よりも前に実行回答をしていないとき、処理部２０は、移譲先通信機器を自動的に設定する。そして、処理部２０は、第１通信機器１（付与機器）の無線通信部１９に向けて、移譲依頼を無線通信部１９に送信させる（ステップ３１）。ここでの移譲依頼は、自動移譲先を知らせるデータである。
【００８４】
移譲依頼を受信したとき、第１通信機器１（付与機器）、画像形成装置４、第３通信機器３（新たに代理印刷権限を付与しようとする通信機器）は、図１０のステップ２２〜２８を実行する。図１０のステップ２２〜２８は、図８のステップ２２〜２８と同じである。図８のステップ２２〜２８を援用するものとして、説明を省略する。
【００８５】
なお、移譲依頼を受けたとき、移譲先に指定された通信装置に代理印刷権限を付与したくない場合がある。そこで、第１通信機器１（付与機器）は、代理印刷権限の移譲の許可不許可を受け付けてもよい（ステップ３２）。なお、移譲依頼を受けたとき、必ず、図１０のステップ２２〜２８を実行する場合、ステップ３２はスキップされる。
【００８６】
第１通信機器１（付与機器）の無線通信部１９が移譲依頼を受信したとき、第１通信機器１の処理部１０は、通信機器の変更の許否を入力するための入力画面をディスプレイ１２に表示させる。入力画面には、例えば、許可ボタンと、不許可ボタンが配される。タッチパネル１３は、許可ボタンの操作を、変更を許可する入力として受け付ける。タッチパネル１３は、不許可ボタンの操作を、変更を許可しない入力として受け付ける。
【００８７】
タッチパネル１３の出力に基づき、第１通信機器１の処理部１０は、操作されたボタンを認識する。変更を許可する入力がなされたか否かを確認する。許可ボタンが操作されたとき、処理部１０は、変更を許可する入力がなされたと判定する。この場合、処理部１０は、図１０のステップ♯３２以降の処理を開始する。その結果、処理部１０は、移譲依頼で知らされた通信機器（第３通信機器３）を第２代理機器に設定する。
【００８８】
不許可ボタンが操作されたとき、処理部１０は、変更不許可の入力がなされたと判定する。不許可の入力がなされたとき、処理部１０は、図１０のステップ♯３２以降の処理を開始しない。つまり、処理部１０は、移譲依頼で知らされた通信機器（第３通信機器３）を新たな代理機器に設定しない。
【００８９】
（代理印刷の実行）
次に、図１１を用いて、実施形態に係る画像形成システム１００での代理印刷の実行の流れの一例を説明する。図１１は、実施形態に係る代理印刷の実行の流れの一例を示す図である。
【００９０】
代理印刷用データＤ２が専用領域に記憶されたとき、画像形成装置４は、一定距離内に代理機器が存在するか否かを判定する（ステップ４１）。代理印刷権限の付与先の変更がなされていないとき、画像形成装置４は、第１代理機器（第２通信機器２）が存在するか否かを判定する。代理印刷権限の付与先の変更がなされたとき、画像形成装置４は、第２代理機器（第３通信機器３）が存在するか否かを判定する。代理印刷権限の付与先の変更がなされたとき、画像形成装置４は、第１代理機器（第２通信機器２）が存在するか否かを判定しない。以下の説明での代理機器は、代理印刷権限が付与された通信機器である。つまり、代理機器は、第２通信機器２（第１代理機器）又は第３通信機器３（第２代理機器）である。
【００９１】
一定距離内に代理機器が存在するか否かの判定手法は適宜定められる。例えば、１又は複数の無線ＬＡＮのアクセスポイントと通信に基づき、画像形成装置４は、一定距離内に代理機器が存在するか否かを判定してもよい。例えば、画像形成装置４と通信可能なアクセスポイントが１又は複数設けられる。また、画像形成装置４の本体通信部４４に無線ＬＡＮのアクセスポイント機能を持たせてもよい。この場合、本体通信部４４は、無線ＬＡＮ通信に関する回路（ハードウェア）とソフトウェアを含む。画像形成装置４の制御部４０は、所定のアクセスポイントが代理機器を検出したとき、一定距離内に代理機器が存在すると判定してもよい。一方、制御部４０は、所定のアクセスポイントが代理機器を検出できていないとき、一定距離内に代理機器が存在しないと判定する。所定のアクセスポイントは、１又は複数である。所定のアクセスポイントには、画像形成装置４に最も近いアクセスポイントを含めることができる。
【００９２】
また、画像形成装置４は、近距離無線通信の規格に基づき、一定距離内に代理機器が存在するか否かを判定してもよい。例えば、規格には、Ｂｌｕｅｔｏｏｔｈ（登録商標）を採用することができる。この場合、本体通信部４４は、近距離無線通信に関する回路（ハードウェア）とソフトウェアを含む。近距離無線通信により本体通信部４４と代理機器とが通信可能になったとき、画像形成装置４の制御部４０は、一定距離内に代理機器が存在すると判定する。本体通信部４４が代理機器を見つけられないとき（近距離無線通信による通信ができないとき）、制御部４０は、一定距離内に代理機器が存在しないと判定する。
【００９３】
画像形成装置４が一定距離内に代理機器（第２通信機器２又は第３通信機器３）が存在すると判定したとき、画像形成装置４と代理機器は相互に通信を行う。そして、代理機器の処理部と画像形成装置４の制御部４０は、互いの正当性を判定する（ステップ４２）。互いの正当性を判定するとき、代理機器と画像形成装置４は、固有情報を双方で交換する。代理機器と画像形成装置４は、受信した固有情報に基づき、相手方の正当性の有無を判断する。
【００９４】
代理機器と画像形成装置４間の正当性判定のアルゴリズムも、正当性を誤りなく判定できるものであればよい。正当性判定のアルゴリズムは、適宜定められる。代理機器と画像形成装置４間でも、電子署名（電子認証）の仕組みを用いることができる。
【００９５】
例えば、代理機器の処理部（処理部２０又は処理部３０）は、自己の固有情報と、秘密鍵で暗号化した自己の固有情報のハッシュ値を画像形成装置４の本体通信部４４に送信する。画像形成装置４の制御部４０は、受信した固有情報のハッシュ値を求める。また、制御部４０は、代理機器の公開鍵を本体通信部４４に取得させる。制御部４０は、秘密鍵で暗号化された固有情報ｉ２のハッシュ値を公開鍵で復号する。両方のハッシュ値が正しい場合、制御部４０は、代理機器の正当性があると判定する。異なる場合、制御部４０は、代理機器の正当性がないと判定する。
【００９６】
反対に、画像形成装置４の制御部４０は、自己の固有情報ｉ４と、秘密鍵で暗号化した自己の固有情報ｉ４のハッシュ値を代理機器の無線通信部２９に送信する。代理機器の処理部（処理部２０又は処理部３０）は、受信した固有情報ｉ４のハッシュ値を求める。また、処理部は、画像形成装置４の公開鍵を無線通信部（無線通信部２９又は無線通信部３９）に取得させる。処理部は、秘密鍵で暗号化された固有情報ｉ４のハッシュ値を公開鍵で復号する。両方のハッシュ値が正しい場合、処理部は、画像形成装置４の正当性があると判定する。異なる場合、処理部は、画像形成装置４の正当性がないと判定する。
【００９７】
代理機器の処理部は、画像形成装置４での正当性の判定結果を無線通信部に取得させる。画像形成装置４の制御部４０は、代理機器での正当性の判定結果を本体通信部４４に取得させる。ともに正当性ありと判定されているとき、処理部と制御部４０は、処理を続行する。何れか一方でも正当性なしと判定されたとき、処理部と制御部４０は、処理を中止する。正当性が認められない場合、代理印刷に関する処理が進められない。その結果、代理印刷ができない。処理を中止したとき、代理印刷権限が付与された通信機器の処理部は、代理印刷できない旨のメッセージをディスプレイに表示させる。また、制御部４０は、代理印刷できない旨のメッセージを表示パネルに表示させる。代理機器の所持者は、代理印刷できないことを認識できる。
【００９８】
ともに正当性ありと判定されたとき、画像形成装置４の制御部４０は、代理機器の無線通信部に向けて、リストデータを通信部に送信させる（ステップ４３）。リストデータは、一定距離内にある通信機器（代理機器）で代理印刷可能な印刷データＤ３の一覧を表示するためのデータである。リストデータは、代理印刷可能な印刷データＤ３の名前を含む。また、リストデータは、代理印刷可能な印刷データＤ３の送信者（第１通信機器１＝付与機器）を含む。つまり、代理機器が一定距離内にあるとき、制御部４０は、無線通信部２９に向けて、代理印刷を行うか否かを問い合わせる回答要求（リストデータ）を本体通信部４４に送信させる。
【００９９】
リストデータを受信したとき、リストデータに基づき、代理機器の処理部は、代理印刷可能な印刷データＤ３の一覧をディスプレイに表示させる（ステップ４４）。使用者は、一覧から代理印刷する印刷データＤ３を選択できる。例えば、使用者は、代理印刷する印刷データＤ３の表示位置をタッチする。印刷データＤ３が選択されたとき、代理機器の処理部２０は、画像形成装置４の本体通信部４４に向けて、実行回答を送信する（ステップ４５）。実行回答には代理印刷を行う旨と選択された印刷データＤ３の名前が含まれる。
【０１００】
なお、急いでいる等の理由により、代理印刷を開始したくない場合がある。そこで、代理機器では、代理印刷の不実行を選択することもできる。代理機器のタッチパネル（タッチパネル２３又はタッチパネル３３）は、代理印刷の不実行を受け付ける。不実行が選択されたとき、処理部は、画像形成装置４の本体通信部４４に向けて、不実行回答を送信する。不実行回答を受信したとき、画像形成装置４の制御部４０は、代理印刷を開始しない。不実行回答を受信したとき、代理機器が一定距離内にいる間、制御部４０は再度正当性を判定しない。代理機器が一定距離内にいる間、制御部４０はリストデータを再送信しない。代理機器がいったん一定距離外に出た後、ステップ４１から処理が再度実行される。
【０１０１】
実行回答を受信したとき、画像形成装置４の制御部４０は、選択された印刷データＤ３を含む代理印刷用データＤ２をストレージ５から読み出す（ステップ４６）。そして、制御部４０は、取得した代理印刷用データＤ２の作成日時ｉ７を確認する（ステップ４７）。制御部４０は、作成日時ｉ７に基づき、印刷するか否かを判定する。
【０１０２】
作成から時間が経過した代理印刷用データＤ２に基づく印刷は好ましくない場合がある。例えば、不要な秘密文書が印刷されることになる場合がある。そこで、画像形成装置４の制御部４０は、実行回答の受信時が作成日時ｉ７から予め定められた印刷可能期間内であるか否かを確認する。なお、作成日時ｉ７の情報は、代理印刷用データＤ２（代理印刷許可情報ｉ５）に含まれている。印刷可能期間は適宜定められる。印刷可能期間は、例えば、数時間であってもよい。また、印刷可能期間は、例えば、１日、又は、数日でもよい。印刷可能期間は、上述した待ち時間よりも長い。
【０１０３】
印刷可能期間外のとき、制御部４０は、印刷データＤ３に基づく印刷を印刷部４３に行わせない。この場合、制御部４０は、代理機器の無線通信部に向けて、印刷可能期間外である旨を通信部に送信させる。印刷可能期間外である旨を受信したとき、処理部は、選択した印刷データＤ３の代理印刷ができないことをディスプレイに表示させる。
【０１０４】
印刷可能期間内であるとき、画像形成装置４の制御部４０は、印刷データＤ３に基づく印刷を印刷部４３に行わせる（ステップ４８、代理印刷の実行）。代理印刷（印刷データＤ３に基づく印刷）の実行完了後、画像形成装置４の制御部４０は、代理機器の無線通信部に向けて、印刷完了通知を本体通信部４４に送信させる（ステップ４９）。印刷完了通知を受信したとき、代理機器の処理部は、代理印刷完了のメッセージをディスプレイに表示させる。代理機器の所持者は、代理印刷完了を認識できる。
【０１０５】
また、印刷完了通知を受信したとき、代理機器の処理部は、第１通信機器１の無線通信部１９に向けて、印刷完了通知を無線通信部に送信させる（ステップ４１０）。印刷完了通知を受信したとき、第１通信機器１の処理部１０は、代理印刷完了のメッセージをディスプレイ１２に表示させる。付与機器の所持者は、代理印刷完了を認識できる。
【０１０６】
このように、代理印刷権限が移譲されていないとき、図１１の処理は、第２通信機器２（第１代理機器）を対象に行われる。具体的に、画像形成装置４の制御部４０は、一定距離内に第２通信機器２（第１代理機器）が存在するか否かを判定する。制御部４０は、第２通信機器２が存在すると判定したとき、代理印刷を行うか否かを問い合わせる回答要求を第２通信機器２に送信する。第２通信機器２から実行回答を受信したとき、制御部４０は、専用領域に記憶された印刷データＤ３に基づく印刷を印刷部４３に行わせる。
【０１０７】
また、代理印刷権限が移譲されたとき、図１１の処理は、第３通信機器３（新たな代理機器、第２代理機器）を対象に行われる。図１１の処理は、第２通信機器２（第１代理機器）に対しては行われない。画像形成装置４の制御部４０は、一定距離内に第３通信機器３（第２代理機器）が存在するか否かを判定する。第２代理機器が存在すると判定したとき、制御部４０は、代理印刷を行うか否かを問い合わせる回答要求を第２代理機器に送信する。第２代理機器から実行回答を受信したとき、専用領域に記憶された印刷データＤ３に基づく印刷を印刷部４３に行わせる。第２通信機器２（第１代理機器）については、一定距離内に存在するか否かを判定しない。
【０１０８】
（代理印刷中の画像形成装置４の処理）
次に、図１２に基づき、実施形態に係る画像形成装置４の代理印刷中の処理の流れの一例を説明する。図１２は、実施形態に係る画像形成装置４の代理印刷中の処理の流れの一例を示すフローチャートである。
【０１０９】
代理印刷を中止すべき場合がある。代理印刷中、画像形成装置４の制御部４０は、代理印刷を中止すべきか否かを確認する。図１３のスタートは、実行回答に基づき、代理印刷を開始した時点である。
【０１１０】
制御部４０１は、一定距離内に代理印刷権限が付与された通信機器（第１代理機器又は第２代理機器）が存在するか否かを判定する（ステップ♯５１）。代理印刷中、制御部４０は、印刷データＤ３の代理印刷権限が付与された通信機器の存在の確認を続ける。代理印刷権限が移譲されていない場合、制御部４０は、第２通信機器２（第１代理機器）の存在を確認する。代理印刷権限が移譲された場合、制御部４０は、第３通信機器３（第２代理機器）の存在を確認する。
【０１１１】
存在しなくなったとき（ステップ♯５１のＮｏ）、制御部４０は、代理印刷（印刷データＤ３に基づく印刷）を中止させる（ステップ♯５２）。代理印刷では、秘密文書が印刷されることがある。代理印刷のとき、受任者は画像形成装置４の近くにいるべきである。受任者が画像形成装置４の近くにいないのに代理印刷を続けると、代理印刷の印刷物の全てが第三者に持ち去られるおそれがある。そこで、代理印刷権限が付与された通信機器が一定距離内に存在しなくなったとき、制御部４０は代理印刷を停止させる。
【０１１２】
代理印刷を中止したとき（ステップ♯５２のＹｅｓ）、制御部４０１は、代理印刷権限が付与された通信機器（代理機器）に向けて、印刷中止通知を通信部に送信させる（ステップ♯５３）。印刷中止通知を受信した通信機器の処理部は、代理印刷が中止された旨のメッセージをディスプレイに表示させる。そして、本フローは終了する（エンド）。代理印刷をやり直すとき、再度、画像形成装置４に近づく。その結果、図１１の処理が最初からやり直される。
【０１１３】
一定距離内に存在しているとき（ステップ♯５２のＮｏ）、制御部４０は、予め定められた中止条件が満たされたか否かを確認する（ステップ♯５４）。例えば、中止条件は、高い優先度が設定された印刷データＤ３を通信部が新たに受信したこととしてもよい。また、中止条件は、代理印刷中の印刷データＤ３の代理印刷権限が他の通信機器に変更されたことでもよい。例えば、代理印刷中の印刷データＤ３を含む代理印刷用データＤ２に対し、第１通信機器１（付与機器）から新たな代理印刷許可情報ｉ５を受信したとき、制御部４０は、中止条件が充たされたと判断する。
【０１１４】
中止条件が充足されたとき（ステップ♯５４）、フローは、ステップ♯５２に移行する。中止条件未充足のとき、制御部４０は、代理印刷が完了したか否かを確認する（ステップ♯５５）。例えば、代理印刷の印刷データＤ３の最後のページを給紙してから予め定められた時間が経過したとき、制御部４０は、印刷完了と判定する。代理印刷が完了していないとき（ステップ♯５５のＮｏ）、フローは、ステップ♯５１に戻る。代理印刷が完了したとき（ステップ♯５５のＹｅｓ）、フローは終了する。
【０１１５】
このようにして、実施形態に係る画像形成システム１００は、画像形成装置４、付与機器（第１通信機器１）、代理機器、ストレージ５を含む。画像形成装置４は印刷部４３を含む。付与機器は代理印刷権限を付与する。代理機器は、代理印刷権限が付与された機器である。ストレージ５はデータを記憶する。画像形成装置４、付与機器、及び、代理機器は、それぞれ通信部を含み、相互に通信可能である。付与機器は、代理印刷権限を付与する通信機器を定める第１代理設定操作を受け付ける。第１代理設定操作がなされたとき、付与機器は、専用領域の作成を要求する作成要求を画像形成装置４に送信する。専用領域は、代理印刷専用の記憶領域である。作成要求を受信したとき、画像形成装置４は、ストレージ５に専用領域を作成する。専用領域が作成されたとき、付与機器は、代理印刷用データＤ２を作成する。付与機器は、作成した代理印刷用データＤ２を画像形成装置４に送信することにより、第１代理設定操作で設定された通信機器に代理印刷権限を付与し、第１代理設定操作で設定された通信機器を第１代理機器に設定する。代理印刷用データＤ２は、代理印刷許可情報ｉ５と印刷部４３に印刷させるための印刷データＤ３を含む。画像形成装置４は、受信した代理印刷用データＤ２を専用領域に記憶させる。画像形成装置４は、画像形成装置４から一定距離内に第１代理機器（第２通信機器２）が存在するか否かを判定する。第１代理機器が存在すると判定したとき、画像形成装置４は、代理印刷を行うか否かを問い合わせる回答要求を第１代理機器に送信する。第１代理機器から代理印刷を行う旨の実行回答を受信したとき、画像形成装置４は、専用領域に記憶された印刷データＤ３に基づく印刷を印刷部４３に行わせる。
【０１１６】
これにより、使用者の認証ができない環境でも、代理印刷できる仕組みを提供することができる。画像形成装置４に使用者情報の登録がなされていなくても、代理印刷が可能である。画像形成装置４が使用者を認証しなくても、代理印刷が可能である。また、使用者が画像形成装置４にログインしなくても、代理印刷が可能である。従って、使用者情報を持てない画像形成装置４でも代理印刷することができる。また、使用可能な者として画像形成装置４に登録されていない者でも、代理印刷が可能となる。また、専用領域に印刷データＤ３を記憶させるので、印刷データＤ３を不正な使用から保護することができる。
【０１１７】
付与機器は、代理印刷権限を付与する通信機器を変更する第２代理設定操作を受け付ける。第２代理設定操作がなされたとき、付与機器は、第１代理機器から代理印刷権限を剥奪する。付与機器は、第２代理設定操作で設定された通信機器に代理印刷権限を付与して、第２代理設定操作で設定された通信機器を新たな代理機器である第２代理機器を設定する。画像形成装置４は、一定距離内に第２代理機器（第３通信機器３）が存在するか否かを判定する。第２代理機器が存在すると判定したとき、画像形成装置４は、回答要求を第２代理機器に送信する。第２代理機器から実行回答を受信したとき、画像形成装置４は、専用領域に記憶された印刷データＤ３に基づく印刷を印刷部４３に行わせる。画像形成装置４は、第１代理機器については、一定距離内に存在するか否かを判定しない。これにより、代理印刷権限を付与する通信機器を変更することができる。新たな代理機器（第２代理機器）を用いて印刷データＤ３に基づく印刷を開始させることができる。また、代理印刷権限が剥奪された通信機器（前の代理機器＝第１代理機器）を用いて代理印刷できないようにすることができる。
【０１１８】
第１代理機器は、代理印刷権限の移譲先通信機器を定める第３代理設定操作を受け付ける。第１代理機器は移譲先通信機器を知らせる移譲依頼を付与機器に送信する。移譲依頼を受信したとき、付与機器は、第１代理機器から代理印刷権限を剥奪する。付与機器は、通知された移譲先通信機器に代理印刷権限を付与して、移譲先通信機器を新たな代理機器である第２代理機器を設定する。画像形成装置４は、一定距離内に第２代理機器が存在するか否かを判定する。第２代理機器が存在すると判定したとき、画像形成装置４は、回答要求を第２代理機器に送信する。第２代理機器から実行回答を受信したとき、画像形成装置４は、専用領域に記憶された印刷データＤ３に基づく印刷を印刷部４３に行わる。画像形成装置４は、第１代理機器については、一定距離内に存在するか否かを判定しない。これにより、第１代理機器を操作して、自己の代理印刷権限を他の通信機器を譲ることができる。また、代理印刷権限を譲った通信機器（第１代理機器）を用いて代理印刷できないようにすることができる。
【０１１９】
代理機器の所持者は、忙しくて代理印刷できない場合がある。また、代理機器の所持者が、代理印刷し忘れる場合もある。そこで、付与機器は、確認時点を第１代理機器に送信する。第１代理機器は、確認時点よりも前に実行回答をしたか否かを確認する。確認時点よりも前に実行回答をしていないとき、第１代理機器は、移譲先通信機器を自動的に設定する。第１代理機器は、自動的に設定した移譲先通信機器を知らせる移譲依頼を付与機器に送信する。これにより、代理印刷が実行されないまま長時間経過したとき、代理機器（代理印刷権限が付与された通信機器）を自動的に変更することができる。
【０１２０】
移譲依頼を受信した場合、通信機器の変更を許可する入力を受け付けたとき、付与機器は、移譲依頼で知らされた通信機器を第２代理機器に設定する。通信機器の変更を許可しない入力を受け付けたとき、付与機器は、移譲依頼で知らされた通信機器を第２代理機器に設定しない。これにより、代理印刷の委託者は、新たな通信機器に代理印刷権限を設定するか否かを定められる。希望しない代理印刷権限の移譲を防ぐことができる。
【０１２１】
第２代理機器を設定するとき、付与機器は、第２代理機器のための新たな代理印刷許可情報ｉ５を作成する。付与機器は、作成した新たな代理印刷許可情報ｉ５を画像形成装置４に送信すする。新たな代理印刷許可情報ｉ５を受信したとき、画像形成装置４は、専用領域に新たな代理印刷許可情報ｉ５を記憶させる。画像形成装置４は、前に記憶された代理印刷許可情報ｉ５を削除しない。これにより、新たに第２代理機器を設定するとき、第２代理機器用の代理印刷許可情報ｉ５が作成される。また、前に記憶された第１代理機器の代理印刷許可情報ｉ５は削除されない。第１代理機器の代理印刷許可情報ｉ５は履歴として残される。
【０１２２】
画像形成装置４は、印刷データＤ３に基づく印刷中に、一定距離内に代理印刷権限が付与された通信機器が存在しなくなったとき、印刷データＤ３に基づく印刷を中止する。これにより、代理印刷権限が付与された者が画像形成装置４から離れたとき、代理印刷の印刷物が他人に見られるおそれがある。このような場合、印刷を中止することができる。秘密の漏洩を防ぐことができる。
【０１２３】
付与機器は、代理印刷許可情報ｉ５に代理印刷用データＤ２の作成日時ｉ７を含める。画像形成装置４は、実行回答の受信時が作成日時ｉ７から予め定められた印刷可能期間内であるか否かを確認する。印刷可能期間内であるとき、画像形成装置４は印刷データＤ３に基づく印刷を印刷部４３に行わせる。印刷可能期間内でないとき、画像形成装置４は印刷データＤ３に基づく印刷を印刷部４３に行わせない。これにより、期限切れの印刷データＤ３（古い印刷データＤ３）の印刷を防ぐことができる。また、印刷可能期間が経過した代理印刷用データＤ２を印刷できないので、情報漏洩を生じにくくすることができる。
【０１２４】
専用領域への代理印刷用データＤ２の記憶が完了したとき、画像形成装置４は、付与機器に代理印刷準備の完了を通知する。付与機器は、第１代理機器又は第２代理機器に代理印刷準備の完了を通知する。印刷データＤ３に基づく印刷が完了したとき、画像形成装置４は、第１代理機器又は第２代理機器に代理印刷の完了を通知する。第１代理機器又は第２代理機器は、付与機器に代理印刷の完了を通知する。これにより、代理印刷可能であることを代理機器の所持者（受任者）に知らせることができる。また、代理印刷の完了を第１代理機器又は第２代理機器の所持者（受任者）と、付与機器の所持者（依頼者）に知らせることができる。異常な代理印刷がなされたか否かを確認することができる。
【０１２５】
付与機器が代理印刷権限を付与する前に、付与機器は、代理印刷権限の付与候補の通信機器と通信を行い、正当性を判定する。正当性ありと判定したとき、付与機器は、処理を続行する。正当性なしと判定したとき、付与機器は、処理を中止する。正当性が認められないとき、悪意の者が代理印刷により秘密文書の入手を企てている可能性がある。これにより、代理印刷権限を付与しようとする通信機器の正当性が認められないとき、代理印刷に必要な処理（手続）が中断される。秘密の漏洩の発生を防ぐことができる。
【０１２６】
付与機器が作成要求を送信したとき、付与機器と画像形成装置４は、相互に通信を行い、互いの正当性を判定する。ともに正当性ありと判定したとき、付与機器と画像形成装置４は、処理を続行する。何れか一方でも正当性なしと判定されたとき、付与機器と画像形成装置４は、処理を続行しない。正当性が認められないとき、悪意の者が代理印刷により秘密文書の入手を企てている可能性がある。これにより、付与機器と画像形成装置４の何れか一方で正当性が認められないとき、代理印刷に必要な処理（手続）が中断される。秘密の漏洩の発生を防ぐことができる。
【０１２７】
画像形成装置４から一定距離内に付与機器から代理印刷権限が付与された通信機器が存在すると判定したとき、代理印刷権限が付与された通信機器と画像形成装置４は、相互に通信を行い、互いの正当性を判定する。ともに正当性ありと判定したとき、代理印刷権限が付与された通信機器と画像形成装置４は、処理を続行する。何れか一方でも正当性なしと判定されたとき、代理印刷権限が付与された通信機器と画像形成装置４は、処理を続行しない。正当性が認められないとき、悪意の者が代理印刷により秘密文書の入手を企てている可能性がある。画像形成装置４と第１第２代理機器の何れか一方で正当性が認められないとき、代理印刷に必要な処理（手続）が中断される。秘密の漏洩の発生を防ぐことができる。
【０１２８】
又、本発明の実施形態を説明したが、本発明の範囲はこれに限定されるものではなく、発明の主旨を逸脱しない範囲で種々の変更を加えて実施することができる。
【産業上の利用可能性】
【０１２９】
本発明は、複数の通信機器と画像形成装置を含む画像形成システムに利用可能である。
【符号の説明】
【０１３０】
１００  画像形成システム                １      第１通信機器（付与機器）
２      第２通信機器（代理機器、第１代理機器）
３      第３通信機器（代理機器、第２代理機器）
４      画像形成装置                    ４３    印刷部
５      ストレージ                      Ｄ２    代理印刷用データ
Ｄ３    印刷データ                      ｉ５    代理印刷許可情報
【図１】
2019045964.tif 000003
【図２】
2019045964.tif 000004
【図３】
2019045964.tif 000005
【図４】
2019045964.tif 000006
【図５】
2019045964.tif 000007
【図６】
2019045964.tif 000008
【図７】
2019045964.tif 000009
【図８】
2019045964.tif 000010
【図９】
2019045964.tif 000011
【図１０】
2019045964.tif 000012
【図１１】
2019045964.tif 000013
【図１２】
2019045964.tif 000014